【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
自己に対する操作のために用意された１または複数種類の操作モードの中から１つを選択し、実行対象の操作モードとして決定する第１の決定部と、
使用者からの入力信号に基づき、決定されて実行中となった操作モードの操作手順に関するマニュアル情報を、ユーザ端末機器への送信情報として決定する第２の決定部と
を備えた電子機器。
【請求項２】
前記第２の決定部により決定された前記送信情報を前記ユーザ端末機器へ送信する送信部を更に備え、
前記送信部は、前記ユーザ端末機器へ前記送信情報を送信した後に、前記使用者による操作を検知した場合には、その操作状況に関する情報を前記ユーザ端末機器へ送信する
請求項１に記載の電子機器。
【請求項３】
前記ユーザ端末機器は、受信したマニュアル情報に基づいてマニュアル画面を表示する表示部を有し、
前記送信部は、前記操作状況に応じて、前記ユーザ端末機器の表示部に表示されたマニュアル画面を切り替えるための制御信号を前記ユーザ端末機器へ送信する
請求項２に記載の電子機器。
【請求項４】
前記第２の決定部は、実行中の操作モードと、前記使用者を撮像して得られた撮像データとに基づいて、前記使用者に応じたマニュアル情報を決定する
請求項１に記載の電子機器。
【請求項５】
前記第２の決定部は、前記撮像データとして、前記使用者の顔の撮像データを用いる
請求項４に記載の電子機器。
【請求項６】
前記第２の決定部は、実行中の操作モードと、前記顔の撮像データから抽出された性別情報、年齢情報および表情情報のうちの少なくとも１つとを用いて、前記使用者に応じたマニュアル情報を決定する
請求項４に記載の電子機器。
【請求項７】
前記１または複数種類の操作モードの操作手順に関する１または複数種類のマニュアル情報を保持する保持部を備えた
請求項１に記載の電子機器。
【請求項８】
送信部を備えた他の電子装置を介して、決定された前記マニュアル情報を前記ユーザ端末機器に送信する
請求項１に記載の電子機器。
【請求項９】
コンピュータを備えた電子機器に対する操作のために用意された１または複数種類の操作モードの中から１つを選択し、実行対象の操作モードとして決定する第１のステップと、
使用者からの入力信号に基づき、決定されて実行中となった操作モードの操作手順に関するマニュアル情報を、ユーザ端末機器へ送信するための送信情報として決定する第２のステップと
を前記コンピュータに実行させる情報処理プログラム。
【請求項１０】
決定された前記送信情報を前記ユーザ端末機器へ送信する第３のステップと、
前記端末機器へ前記送信情報を送信した後に、前記使用者による操作を検知した場合には、その操作状況に関する情報を前記ユーザ端末機器へ送信する第４のステップと
を更に前記コンピュータに実行させる
請求項９に記載の情報処理プログラム。
【請求項１１】
前記第４のステップでは、
受信したマニュアル情報に基づいて前記ユーザ端末機器の表示部に表示されたマニュアル画面を前記操作状況に応じて切り替えるための制御信号を、前記ユーザ端末機器へ送信する
請求項１０に記載の情報処理プログラム。
【請求項１２】
前記第２のステップでは、
実行中の操作モードと、前記使用者を撮像して得られた撮像データとに基づいて、前記使用者に応じたマニュアル情報を前記送信情報として決定する
請求項９に記載の情報処理プログラム。
【手続補正２】
【補正対象書類名】明細書
【補正対象項目名】０００６
【補正方法】変更
【補正の内容】
【０００６】
本発明の電子機器は、自己に対する操作のために用意された１または複数種類の操作モードの中から１つを選択し、実行対象の操作モードとして決定する第１の決定部と、使用者からの入力信号に基づき、決定されて実行中となった操作モードの操作手順に関するマニュアル情報を、ユーザ端末機器への送信情報として決定する第２の決定部とを備えたものである。
【手続補正３】
【補正対象書類名】明細書
【補正対象項目名】０００８
【補正方法】変更
【補正の内容】
【０００８】
本発明の情報処理プログラムは、コンピュータを備えた電子機器に対する操作のために用意された１または複数種類の操作モードの中から１つを選択し、実行対象の操作モードとして決定する第１のステップと、使用者からの入力信号に基づき、決定されて実行中となった操作モードの操作手順に関するマニュアル情報を、ユーザ端末機器へ送信するための送信情報として決定する第２のステップとを上記コンピュータに実行させるようにしたものである。
【手続補正４】
【補正対象書類名】明細書
【補正対象項目名】０００９
【補正方法】変更
【補正の内容】
【０００９】
本発明の電子機器および情報処理プログラムでは、１つの操作モードの実行中に、使用者からの入力信号が検知されると、その実行中の操作モードに関するマニュアル情報が、ユーザ端末機器へ送信される送信情報として決定される。これにより、操作モードの実行中において、その操作手順に関するマニュアル情報をユーザ端末機器へ供給可能となる。
【手続補正５】
【補正対象書類名】明細書
【補正対象項目名】００１０
【補正方法】変更
【補正の内容】
【００１０】
本発明の電子機器および情報処理プログラムによれば、１または複数種類の操作モードの中の１つを実行対象の操作モードとして決定し、その操作モードに関するマニュアル情報を、使用者からの入力信号に基づきユーザ端末機器へ送信するための送信情報として決定する。これにより、操作モードの実行中に、その操作手順に関するマニュアル情報をユーザ端末機器へ供給可能となり、使用者は例えば端末機器側においてマニュアル情報を参照しながら、電子機器側において操作モードにおける操作を進めることができるようになる。よって、電子マニュアルを利用した操作の際に使用者における利便性を向上させることが可能となる。
【手続補正６】
【補正対象書類名】明細書
【補正対象項目名】００２８
【補正方法】変更
【補正の内容】
【００２８】
記憶部２３は、受信制御部２２０から供給されるマニュアルデータＤＭを含め、種々のデータを保持しておくためのメモリであり、前述した保持部１３と同様、種々の記憶手段が用いられる。
【手続補正７】
【補正対象書類名】明細書
【補正対象項目名】００４１
【補正方法】変更
【補正の内容】
【００４１】
一方、使用者５による持ち出し操作がなされていると判断された場合（ステップＳ１２：Ｙ）、続いて、送信情報決定部１４は、保持部１３に保持されている複数種類のマニュアルデータＤＭの中から、実行中の操作モードに対応するマニュアルデータＤＭを、選択的に取得する（ステップＳ１３）。これにより、送信情報決定部１４は、１種類のマニュアルデータＤＭを、使用者５が保有する端末機器２へ送信するための送信情報として決定する。このようにして送信情報として決定されたマニュアルデータＤＭは、送信情報決定部１４から送信制御部１５０へと供給される。送信制御部１５０は、送信部１５を制御して、そのマニュアルデータＤＭを、使用者５が保有する端末機器２へ送信する（ステップＳ１４）。
【手続補正８】
【補正対象書類名】明細書
【補正対象項目名】００５２
【補正方法】変更
【補正の内容】
【００５２】
（端末機器２側の動作）
このようなＴＶ装置１における送信動作に伴って、端末機器２では、マニュアル画面が操作状況に応じて自動的に切り替わる（更新される）。具体的には、図１０に示したように、上記第１の実施の形態と同様のステップＳ１６〜Ｓ１８により、持ち出し操作の実行によりマニュアルデータＤＭが受信され、受信されたマニュアルデータＤＭに基づいて、表示部２１ではマニュアル画面が表示される。そして、このマニュアル画面の表示後において、ＴＶ装置１の側から操作情報を受信したか否かの判断を行い（ステップＳ２２）、操作情報が受信されなかった場合（ステップＳ２２：Ｎ）には、次に説明するステップＳ２３は行われず、操作モードを終了させるか否かを判断するステップＳ１５へ進む。一方、操作情報が受信された場合（ステップＳ２２：Ｙ）には、上記ＴＶ装置１側からの制御信号に応じて、表示部２１に表示されているマニュアル画面が切り替わる（更新される）。
【手続補正９】
【補正対象書類名】明細書
【補正対象項目名】００７７
【補正方法】変更
【補正の内容】
【００７７】
＜第３の実施の形態＞
図１６は、第３の実施の形態に係る電子機器（ビデオカメラ４）の操作モード時における実施態様の一例を、本発明における「外部の表示装置」の一具体例としてのＴＶ装置１Ｂと共に模式的に表すものである。このビデオカメラ４は、所定の配線４０（例えば、ＨＤＭＩ（High-Definition Multimedia Interface）、ＵＳＢ（Universal Serial Bus）等）を介してＴＶ装置１Ｂと接続されている。本実施の形態では、ビデオカメラ４の操作に関する電子マニュアルが、ＴＶ装置１Ｂを経由して、使用者５の保有する端末機器２へ送信される。即ち、ビデオカメラ４において操作モードが実行され、その操作モードに対応するマニュアルデータＤＭが、ＴＶ装置１Ｂを通信手段として経由し、端末機器２への送信されるようになっている。
【手続補正１０】
【補正対象書類名】明細書
【補正対象項目名】００７９
【補正方法】変更
【補正の内容】
【００７９】
（ＴＶ装置１Ｂ）
ＴＶ装置１Ｂは、表示部１１、表示制御部１１０、保持部１３Ｂ、送信部１５、送信制御部１５０、操作検知部１６、カメラ１８、カメラ制御部１８０、送受信部１９および送受信制御部１９０を備えている。即ち、図１３に示したＴＶ装置１Ａにおいて、保持部１３Ａの代わりに保持部１３Ｂを備えると共に、送受信部１９および送受信制御部１９０を更に備え、操作モード決定部１２および送信情報決定部１４を省いたものとなっている。
【手続補正１１】
【補正対象書類名】明細書
【補正対象項目名】００９０
【補正方法】変更
【補正の内容】
【００９０】
一方、ビデオカメラ４では、送受信部４１において、これらの検知データＤＦおよび撮像データＤＩをそれぞれ受信し、送受信制御部４１０および保持部４２を介して送信情報決定部４４へ供給する。送信情報決定部４４は、保持部４２から取得した実行中の操作内容と、撮像データＤＩから抽出して得られる顔情報ＤＯと、保持部４２に保持されている対応テーブル１３０とを用いて、端末機器２へ送信するための送信情報を決定する。そして、送信情報として決定されたマニュアルデータＤＭは、保持部４２から送信情報決定部４４および送受信制御部４１０を介して送受信部４１へ供給され、この送受信部４１からＴＶ装置１Ｂ側へ送信される。
【手続補正１２】
【補正対象書類名】明細書
【補正対象項目名】００９１
【補正方法】変更
【補正の内容】
【００９１】
このマニュアルデータＤＭを、ＴＶ装置１Ｂの送受信部１９において受信し、送受信制御部１９０、保持部１３Ｂおよび送信制御部１５０を介して、送信部１５へ供給する。そして、送信部１５において、送信情報としてのマニュアルデータＤＭが端末機器２へ送信される。
【手続補正１３】
【補正対象書類名】図面
【補正対象項目名】図９
【補正方法】変更
【補正の内容】
【図９】
2011198259.tif 000001